(57)【特許請求の範囲】
【請求項１】
長手方向一方の上部に搬送物の投入口を有し、長手方向他方の底部に長手方向に間隔をおいてスライドゲート付きの複数の払い出し口を有するコンベヤケースと、該コンベヤケース内の長手方向両方に設けられたスプロケットに巻き掛けられ、下部の往路および上部の復路に沿って循環する無端状の搬送チェーンと、該搬送チェーンの両側に所定の間隔で設けられ前記投入口からコンベヤケース内に投入された搬送物を前記払い出し口に搬送する掻き板とを備えたチェーンコンベヤ装置において、前記掻き板には、前記コンベヤケース内の搬送物の流れる領域を幅方向の複数の領域に分割するしきい板が、端部同士が重なり合うように搬送方向に縦列に設けられ、前記スライドゲートは、前記コンベヤケースの底部に対して幅方向にスライド自在に設けられると共に前記しきい板の位置に合わせて開閉するゲート板を有することを特徴とするチェーンコンベヤ装置。
【請求項２】
前記しきい板が前記掻き板に固着具で取付けられる取付板を有し、該取付板にはしきい板の幅方向の位置調整を可能とする長穴状の取付孔が設けられている請求項１に記載のチェーンコンベヤ装置。
【請求項３】
前記払い出し口には前記スライドゲートを片開きにした時に前記掻き板が傾斜しないように案内する傾斜防止ガイドが設けられている請求項１または２に記載のチェーンコンベヤ装置。
【請求項４】
前記コンベヤケース内の搬送方向における前記払い出し口の前後に搬送物の流量を計測する流量計が設けられ、これら流量計の計測値から求めた実流量に基づいてスライドゲートの開度が設定される請求項１〜３何れかに記載のチェーンコンベヤ装置。
【請求項５】
長手方向一方の上部に搬送物の投入口を有し、長手方向他方の底部に長手方向に間隔をおいてスライドゲート付きの複数の払い出し口を有するコンベヤケースと、該コンベヤケース内の長手方向両方に設けられたスプロケットに巻き掛けられ、下部の往路および上部の復路に沿って循環する無端状の搬送チェーンと、該搬送チェーンの両側に所定の間隔で設けられ前記投入口からコンベヤケース内に投入された搬送物を払い出し口に搬送する掻き板とを備えたチェーンコンベヤ装置において、前記コンベヤケース内に搬送物の流れる領域を幅方向の複数の領域に分割するしきい板が、前記往路上の搬送チェーンを含む掻き板の直上に配置され、前記スライドゲートは、前記コンベヤケースの底部に対して幅方向にスライド自在に設けられると共に前記しきい板の位置に合わせて開閉するゲート板を有することを特徴とするチェーンコンベヤ装置。
【請求項６】
前記しきい板が、コンベヤケース内の幅方向中央に配置された固定しきい板と、該固定しきい板の両側方に配置された可動しきい板とからなり、前記可動しきい板が、前記コンベヤケースの左右の側部に前記領域の幅を調整すべくコンベヤケースの幅方向に移動調節可能に設けられた請求項５に記載のチェーンコンベヤ装置。
【発明の詳細な説明】
【技術分野】
【０００１】
本発明は、チェーンコンベヤ装置に係り、特に払い出し能力を調整する技術に関するものである。
【背景技術】
【０００２】
粉粒体などの搬送物を搬送するチェーンコンベヤ装置としては、例えば特許文献１に示すもの（粉粒体搬送用フローコンベヤの排出構造）が知られている。これは、コンベヤケースと、このコンベヤケースの中を循環走行するアタッチメントを持つチェーンと、コンベヤケースの底板に設けた開閉可能な排出口とを有し、コンベヤケースの底板にチェーンの走行をガイドするレールが敷設され、排出口はコンベヤの走行方向に対して左右に開閉する観音扉開閉構造とされ、レールが排出口において観音扉の開閉に連動して分割開閉するようになっている。これにより、搬送物の残留をなくすと共に、装置のコンパクト化を図っている。
【先行技術文献】
【特許文献】
【０００３】
【特許文献１】特開２００６−４４８６３号公報
【発明の概要】
【発明が解決しようとする課題】
【０００４】
ところで、従来のチェーンコンベヤ装置においては、複数の搬送ルートへの払い出しを行う場合、払い出し口となるスライドゲートの開度と払い出し能力との関係を予想することが困難であった。そのため、実際に搬送物を搬送して、指定の払い出し能力を得るようにスライドゲートの開度を調整しているのが現状であり、その調整作業には多くの時間と労力を要するという問題があった。
【０００５】
なお、搬送物の種類（安息角、粒子径の大きさや形状等）によっては、払い出し能力が変動するため、スライドゲートの開度を再調整する必要があり、その調整作業が大変であった。
【０００６】
本発明は、前記事情を考慮してなされたものであり、搬送物の種類による払い出し能力のバラツキを抑制でき、払い出し能力の調整作業を簡易にできるチェーンコンベヤ装置を提供することを目的とする。
【課題を解決するための手段】
【０００７】
本発明は、長手方向一方の上部に搬送物の投入口を有し、長手方向他方の底部に長手方向に間隔をおいてスライドゲート付きの複数の払い出し口を有するコンベヤケースと、該コンベヤケース内の長手方向両方に設けられたスプロケットに巻き掛けられ、下部の往路および上部の復路に沿って循環する無端状の搬送チェーンと、該搬送チェーンの両側に所定の間隔で設けられ前記投入口からコンベヤケース内に投入された搬送物を前記払い出し口に搬送する掻き板とを備えたチェーンコンベヤ装置において、前記掻き板には、前記コンベヤケース内の搬送物の流れる領域を幅方向の複数の領域に分割するしきい板が、端部同士が重なり合うように搬送方向に縦列に設けられ、前記スライドゲートは、前記コンベヤケースの底部に対して幅方向にスライド自在に設けられると共に前記しきい板の位置に合わせて開閉するゲート板を有することを特徴とする。
【０００８】
前記しきい板が前記掻き板に固着具で取付けられる取付板を有し、該取付板にはしきい板の幅方向の位置調整を可能とする長穴状の取付孔が設けられていることが好ましい。
【０００９】
前記払い出し口には前記スライドゲートを片開きにした時に前記掻き板が傾斜しないように案内する傾斜防止ガイドが設けられていることが好ましい。
【００１０】
前記コンベヤケース内の搬送方向における前記払い出し口の前後に搬送物の流量を計測する流量計が設けられ、これら流量計の計測値から求めた実流量に基づいてスライドゲートの開度が設定されることが好ましい。
【００１１】
また、本発明は、長手方向一方の上部に搬送物の投入口を有し、長手方向他方の底部に長手方向に間隔をおいてスライドゲート付きの複数の払い出し口を有するコンベヤケースと、該コンベヤケース内の長手方向両方に設けられたスプロケットに巻き掛けられ、下部の往路および上部の復路に沿って循環する無端状の搬送チェーンと、該搬送チェーンの両側に所定の間隔で設けられ前記投入口からコンベヤケース内に投入された搬送物を払い出し口に搬送する掻き板とを備えたチェーンコンベヤ装置において、前記コンベヤケース内に搬送物の流れる領域を幅方向の複数の領域に分割するしきい板が、前記往路上の搬送チェーンを含む掻き板の直上に配置され、前記スライドゲートは、前記コンベヤケースの底部に対して幅方向にスライド自在に設けられると共に前記しきい板の位置に合わせて開閉するゲート板を有することを特徴とする。
【００１２】
前記しきい板が、コンベヤケース内の幅方向中央に配置された固定しきい板と、該固定しきい板の両側方に配置された可動しきい板とからなり、前記可動しきい板が、前記コンベヤケースの左右の側部に前記領域の幅を調整すべくコンベヤケースの幅方向に移動調節可能に設けられることが好ましい。
【発明の効果】
【００１３】
本発明によれば、搬送物の種類による払い出し能力のバラツキを抑制でき、払い出し能力の調整作業を簡易にできる。
【図面の簡単な説明】
【００１４】
【図１】本発明に係るチェーンコンベヤ装置の一実施形態を概略的に示す縦断面図である。
【図２】図１のＸ−Ｘ線拡大断面図である。
【図３】搬送チェーンの構成を示す図で、（ａ）は平面図、（ｂ）側面図である。
【図４】しきい板の正面図である。
【図５】スライドゲートをしきい板の位置に合わせて指定の払い出し能力とする場合を説明する説明図である。
【図６】スライドゲートを片開きにした場合における搬送チェーンのねじれを防止する構造を示す部分的拡大断面図である。
【図７】本発明に係るチェーンコンベヤ装置の他の実施形態を概略的に示す縦断面図である。
【図８】図７のＹ−Ｙ線拡大断面図である。
【図９】スライドゲートをしきい板の位置に合わせて指定の払い出し能力とする場合を説明する説明図である。
【発明を実施するための形態】
【００１５】
以下に、本発明を実施するための形態を添付図面に基づいて詳述する。
【００１６】
図１ないし図２において、１Ａは例えば図示しないアンローダにより船倉から荷揚げされる小麦、大豆、メイズ等の粒体状の搬送物（荷）を複数の搬送ルートへ払い出すためのチェーンコンベヤ装置である。このチェーンコンベヤ装置１Ａは、長尺の箱状のコンベヤケース２を有し、このコンベヤケース２の長手方向一方の上部２ａには搬送物Ｍの投入口３が設けられ、長手方向他方の底部２ｂには複数（図示例では３個）の払い出し口４、即ち第１払い出し口４ａ、第２払い出し口４ｂおよび第３払い出し口４ｃが長手方向に間隔をおいて設けられている。各払い出し口４ａ〜４ｃには、左右一対のゲート板５ａ，５ｂを有する開度調整可能なスライドゲート５がそれぞれ設けられている（図５参照）。
【００１７】
コンベヤケース２内の長手方向両方には、スプロケット６，７が配置され、両スプロケット６，７には下部の往路８および上部の復路９に沿って循環する無端状の搬送チェーン１０が巻き掛けられている。搬送チェーン１０の両側には、投入口３からコンベヤケース２内に投入された搬送物Ｍを払い出し口４に搬送する掻き板１１が所定の間隔で設けられている。第３の払い出し口４ｃ側にあるスプロケット６が減速機付きの駆動部１２により駆動される駆動スプロケットであり、投入口３側にあるスプロケット７が従動スプロケットである。
【００１８】
搬送チェーン１０は、図３に示すように多数の長円形のプレート１３を、前後を重なり合わせた状態で、ローラ１４によって回動可能に連結したもので、所定の長さの無端状に形成されている。プレート１３の外面には、一つおきに、掻き板１１が突設されている。また、プレート１３の外面と掻き板１１との間には、補強板１６が斜めに介設されている。
【００１９】
複数の搬送ルートへ指定の払い出し能力で搬送物を払い出し可能とするために、コンベヤケース２内には、コンベヤケース２内に搬送物の流れる領域を幅方向の複数（図示例では中央部及び左右両側部の計３つ）の領域に分割して仕切るしきい板１７が設けられ、スライドゲート５のゲート板５ａ，５ｂを前記しきい板１７の位置に合わせて開くことで前記払い出し口４の真上の所定領域の搬送物Ｍを払い出すように構成されている。この場合、しきい板１７を設ける形態としては、しきい板１７を移動側である掻き板１１に設ける形態（第１の発明、図１参照）と、しきい板１７を固定側であるコンベヤケース２に設ける形態（第２の発明、図７参照）とがあり、先ず、前者のしきい板１７を掻き板１１に設ける形態について説明する。
【００２０】
図３の（ａ）ないし（ｂ）に示すように、しきい板１７は、搬送チェーン１０の両側部から突出した掻き板１１に対して直交するように互いに平行に設けられ、搬送方向に隣接するしきい板１７間から搬送物が漏れ出ないように端部同士が重なり合う重合部１８を有するように搬送方向に縦列に設けられている。
【００２１】
しきい板１７は、金属製の平板からなっている。しきい板１７を掻き板１１に取付けるために、図４に示すようにしきい板１７の下部中央には掻き板１１に係合する係合溝１９が形成されていると共に、その係合溝１９に隣接してしきい板１７の両面には掻き板１１に固着具例えばボルト２０とナット２１により取付けられる取付板２２が突設されている。取付板２２には、しきい板１７の幅方向〔図４（ａ）の矢印方向〕の位置調整を可能とする長穴状の取付孔２３が設けられている。
【００２２】
下部レールである往路８はコンベヤケース２の底部２ｂの上面中央に長手方向に沿って設けられている。上部レールである復路９をコンベヤケース２内の上方中央に長手方向に沿って配置するために、コンベヤケース２内の高さ方向中間位置の両側部（側板）２ｃ，２ｄ間にはコンベヤケース２の長手方向に適宜間隔で横材２４が横架され、各横材２４の中央部には復路９を支持する縦材２５が立設されている。
【００２３】
投入口３には、アンローダにより荷揚げされる搬送物Ｍが投入されるが、この場合、搬送物Ｍをコンベヤケース２内の幅方向中央部に集中しないように、コンベヤケース２内の幅方向に均等に投入するために、搬送チェーン１０の搬送方向へ投入するシュータ２６が連結されている（図１参照）。しきい板１７の位置に合わせてスライドゲート５のゲート板５ａ，５ｂを開くことで払い出し口４におけるゲート口２７の真上の所定領域の搬送物を払い出すように構成されている（図５参照）。
【００２４】
コンベヤケース２内の分割された領域を搬送される搬送物Ｍの流量を計測するために、コンベヤケース２内の搬送方向における例えば第１の払い出し口４ａの前後には、羽根車式の流量計２８ａ，２８ｂが設けられ、これら流量計２８ａ，２８ｂの計測値から求めた実流量に基づいてスライドゲート５の開度が設定されるようになっている。なお、流量計は、第２、第３の払い出し口４ｂ、４ｃの前後にも設けられる（図示省略）。
【００２５】
次に、チェーンコンベヤ装置１Ａの作用を述べる。このチェーンコンベヤ装置１Ａによれば、例えば図５（ａ）に示すようにスライドゲート５の左右のゲート板５ａ，５ｂを全開にすると、しきい板１７により中央および両側の計３つの領域に分割された搬送物であってゲート口２７の真上の全領域の搬送物Ｍが４００ｔ／ｈ（毎時４００トン）で払い出される。図５（ｂ）に示すようにスライドゲート５の一方のゲート板５ａを一方のしきい板１７に合わせて閉に、他方のゲート板５ｂを開にすると、中央および他方の計２つの領域に分割された搬送物であってゲート口２７の真上の当該領域の搬送物Ｍが３００ｔ／ｈで払い出される。図５（ｃ）に示すようにスライドゲート５の左右のゲート板５ａ，５ｂをそれぞれ近傍のしきい板１７に合わせて閉にすると、中央の領域に分割された搬送物であってゲート口２７の真上の当該領域の搬送物Ｍが２００ｔ／ｈで払い出される。
【００２６】
チェーンコンベヤ装置１Ａの払い出し口４（４ａ〜４ｃ）から複数の搬送ルート（例えば地上コンベヤ１〜３系統）へ指定の払い出し能力で搬送物を払い出す場合、表１に示すように、地上コンベヤ１系統のみに払い出す場合、４００ｔ／ｈの払い出しが可能であり、地上コンベヤ１及び２系統に払い出す場合、３００ｔ／ｈと１００ｔ／ｈの払い出しまたは２００ｔ／ｈと２００ｔ／ｈの払い出しが可能である。地上コンベヤ１〜３系統に払い出す場合、２００ｔ／ｈ、１００ｔ／ｈおよび１００ｔ／ｈの払い出しが可能である。
【００２７】
【表１】
0005875929.tif 000002
【００２８】
従って、本実施形態のチェーンコンベヤ装置１Ａによれば、搬送物の種類による払い出し能力のバラツキを抑制できると共に、払い出し能力の調整作業を簡易にできる。取付板２２には、しきい板１７の幅方向の位置調整を可能とする長穴状の取付孔２３が設けられているため、しきい板１７の幅方向の調整が容易にでき、払い出し能力の調整が可能となる。
【００２９】
コンベヤケース２内の搬送方向における例えば第１の払い出し口４ａの前後には、羽根車式の流量計２８ａ，２８ｂが設けられ、これら流量計２８ａ，２８ｂの計測値から求めた実流量に基づいてスライドゲート５の開度が設定されるため、搬送物Ｍを精度の高い流量で払い出すことができる。
【００３０】
なお、スライドゲート５は、払い出しの際に、搬送チェーン１０のねじれが発生しないように両開き方式を基本とすることが好ましい。片開き方式のスライドゲートも適用可能とするために、図６に示すように払い出し口４には、スライドゲート５を片開きにした時に掻き板１１が仮想線で示すように傾斜することのないように案内する傾斜防止ガイド２９が設けられていることが好ましい。
【００３１】
次に、しきい板１７を固定側であるコンベヤケース２側に設ける形態（第２の発明）のチェーンコンベヤ装置１Ｂについて、図７〜図９を参照して説明する。図７〜図９において、図１、図２と同一部分は同一参照符号を付して説明を省略する。
【００３２】
しきい板１７として、コンベヤケース２内の幅方向中央に配置される固定しきい板１７ａと、この固定しきい板１７ａの両側方に配置される可動しきい板１７ｂ，１７ｃとが用いられている。コンベヤケース２内には、復路９を支持する横材２４が復路９に近接して設けられ、縦材２５（図２参照）は設けられていない。
【００３３】
固定しきい板１７ａは、横材２４の下部中央に垂下された状態で取付けられ、固定しきい板１７ａの下端は往路８上の搬送チェーン１０に近接されている。可動しきい板１７ｂ，１７ｃは、コンベヤケース２の左右の側部２ｃ，２ｄに調節ネジ３０を介して幅方向に調節可能に取付けられ、可動しきい板１７ｂ，１７ｃの下端は掻き板１１に近接されている。すなわち、固定しきい板１７ａおよび可動しきい板１７ｂ，１７ｃは、往路８上の搬送チェーン１０を含む掻き板１１の直上に配置されている。
【００３４】
調節ネジ３０の摘み部３０ａは、コンベヤケース２の外部に配置され、摘み部３０ａを回すことで可動しきい板１７ｂ，１７ｃをコンベヤケース２内の幅方向に移動調節してしきい幅を調整できるようになっている。なお、可動しきい板１７ｂ，１７ｃは、横材２４に固定されていない。可動しきい板１７ｂ，１７ｃには、調節ネジ３０を螺合する雌ネジ部材３１が設けられている。
【００３５】
固定しきい板１７ａおよび可動しきい板１７ｂ，１７ｃの投入口側先端部には、搬送物の搬送の抵抗になるのを低減するために搬送方向に向かって傾斜した傾斜部３２が形成されている。投入口３には図１の実施形態と同様にシュータ２６が設けられていても良いが、投入口３から中央しきい板１７ａおよび側方しきい板１７ｂ，１７ｃの投入口側先端部までの距離が長ければ、投入される搬送物が平坦化しやすいため、必ずしも図１の実施形態と同様のシュータ２６が設けられていなくても良い。
【００３６】
本実施形態のチェーンコンベヤ装置１Ｂによれば、例えば図９（ａ）に示すようにスライドゲート５の左右のゲート板５ａ，５ｂを全開にすると、中央の固定しきい板１７ａおよび両側の可動しきい板１７ｂ，１７ｃにより計４つの領域に分割された搬送物であって払い出し口におけるゲート口２７の真上の全領域の搬送物Ｍが４００ｔ／ｈで払い出される。
【００３７】
図９（ｂ）に示すようにスライドゲート５の一方のゲート板５ａを一方の可動しきい板１７ｂに合わせて閉に、他方のゲート板５ｂを開にすると、中央の固定しきい板１７ａおよび他側の可動しきい板１７ｃにより計３つの領域に分割された搬送物であってゲート口２７の真上の当該領域の搬送物Ｍが３００ｔ／ｈで払い出される。
【００３８】
図９（ｃ）に示すようにスライドゲート５の左右のゲート板５ａ，５ｂをそれぞれ近傍の可動しきい板１７ｂ，１７ｃに合わせて閉にすると、中央の固定しきい板１７ａおよび両側の可動しきい板１７ｂ，１７ｃにより計２つの領域に分割された搬送物であってゲート口の真上の当該領域の搬送物Ｍが２００ｔ／ｈで払い出される。
【００３９】
図９（ｄ）に示すようにスライドゲート５の一方のゲート板５ａを中央の固定しきい板１７ａに合わせて閉にし、他方のゲート板５ｂを他側の可動しきい板１７ｃに合わせて閉にすると、中央の固定しきい板１７ａおよび他側の可動しきい板１７ｃにより１つの領域に分割された搬送物であってゲート口２７の真上の当該領域の搬送物Ｍが１００ｔ／ｈで払い出される。
【００４０】
チェーンコンベヤ装置１Ｂの払い出し口４（４ａ〜４ｃ）から複数の搬送ルート（例えば地上コンベヤ１〜３系統）へ指定の払い出し能力で搬送物を払い出す場合、表２に示すように、地上コンベヤ１系統のみに払い出す場合、４００ｔ／ｈの払い出しが可能であり、地上コンベヤ１及び２系統に払い出す場合、３００ｔ／ｈと１００ｔ／ｈの払い出しまたは２００ｔ／ｈと２００ｔ／ｈの払い出しが可能である。地上コンベヤ１〜３系統に払い出す場合、２００ｔ／ｈと１００ｔ／ｈと１００ｔ／ｈの払い出しまたは１００ｔ／ｈと２００ｔ／ｈと１００ｔ／ｈの払い出しが可能である。
【００４１】
【表２】
0005875929.tif 000003
【００４２】
従って、本実施形態のチェーンコンベヤ装置１Ｂによれば、搬送物の種類による払い出し能力のバラツキを抑制できると共に、払い出し能力の調整作業を簡易にできる。しきい板１７が、コンベヤケース内の幅方向中央に配置された固定しきい板１７ａと、該固定しきい板１７ａの両側方に移動調節可能に設けられた可動しきい板１７ｂ，１７ｃとからなるため、払い出し能力の幅広い調整が可能となる。
【００４３】
本実施形態の固定しきい板１７ａおよび可動しきい板１７ｂ，１７ｃは、搬送物の搬送方向への流れに対して固定であるため、図１の実施形態のしきい板１７に比して搬送物の搬送の抵抗になるが、固定しきい板１７ａおよび可動しきい板１７ｂ，１７ｃの投入口側先端部には搬送方向に向かって傾斜した傾斜部３２が形成されているため、搬送物の搬送の抵抗になるのを低減することができる。
【符号の説明】
【００４４】
１Ａ，１Ｂ  チェーンコンベヤ装置
２  コンベヤケース
３  投入口
５  スライドゲート
６  駆動スプロケット
７  従動スプロケット
８  往路
９  復路
１０  搬送チェーン
１１  掻き板
１７  しきい板
１７ａ  固定しきい板
１７ｂ，１７ｃ  可動しきい板
２２  取付板
２３  取付孔
２８ａ，２８ｂ  流量計
２９  傾斜防止ガイド
３１  傾斜部
【図１】
0005875929.tif 000004
【図２】
0005875929.tif 000005
【図３】
0005875929.tif 000006
【図４】
0005875929.tif 000007
【図５】
0005875929.tif 000008
【図６】
0005875929.tif 000009
【図７】
0005875929.tif 000010
【図８】
0005875929.tif 000011
【図９】
0005875929.tif 000012